(57)【要約】【課題】天面領域を作業台として兼用する場合においても表示部の表示を確認しやすい樹脂硬化装置を提供する。【解決手段】爪への光硬化樹脂の施術作業時に作業台として兼用される天面領域を備えると共に、動作することにより前記光硬化樹脂を硬化させる硬化光を出力する樹脂硬化装置であって、電源のオン、オフの状況やＵＶランプ等の光源の残動作時間等を表示する表示部を備え、前記表示部を、施術時の施術者と被施術者の対面方向における前記天面領域の端部中央部近辺以外に配置するため、樹脂硬化装置の天面領域を作業台として兼用する光硬化樹脂の爪への施術作業時、表示部の表示が被施術者等の手や腕と重ならない施術作業状態を容易に形成でき、表示部の表示の確実な確認を実現できることになる。【選択図】図１
2015150027.tif 000002
【特許請求の範囲】
【請求項１】
爪への光硬化樹脂の施術作業時に作業台として兼用される天面領域を備えると共に、動作することにより前記光硬化樹脂を硬化させる硬化光を出力する樹脂硬化装置であって、電源のオン、オフの状況やＵＶランプ等の光源の残動作時間等を表示する表示部を備え、前記表示部を、施術時の施術者と被施術者の対面方向における前記天面領域の端部領域の中央部近辺以外に配置する構成を有する樹脂硬化装置。
【請求項２】
表示部は、対面方向に直交する方向である左右方向の端部領域のどちらか一方に配置されている請求項１に記載の樹脂硬化装置。
【請求項３】
表示部は、左右方向の端部領域のどちらか一方の施術者側端部に配置されると共に表示部の表示は施術者側から見て正常表示状態を形成してなる請求項２に記載の樹脂硬化装置。
【発明の詳細な説明】
【技術分野】
【０００１】
本発明は、手や足などの爪に塗布される光硬化樹脂に光を照射することで該光硬化樹脂を硬化させる樹脂硬化装置に関する。
【背景技術】
【０００２】
従来より、手や足などの爪を装飾するために、ネイルチップやスカルプチュアなどの付け爪を自爪に貼り付けることが一般的に行われている。
【０００３】
この付け爪には、ウレタンアクリル樹脂などを主成分とするジェルを利用して人口爪を形成するジェルネイルがある。ジェルは、光硬化樹脂の一種であり特定の波長領域の光が照射されると硬化して人口爪となる。
【０００４】
このため、ジェルネイルでは、ジェルを硬化させるために、特定波長領域の光を照射する樹脂硬化装置が必要となる（例えば、特許文献１や特許文献２参照）。一般的に、この樹脂硬化装置は、水銀ランプや蛍光ランプなどのＵＶランプや、発光ダイオードなどを光源としている。
【０００５】
また、樹脂硬化装置は、当然のことながら手足の爪にジェルが施された状態で作動させる必要があり、通常、特定波長光の照射時期を制御する動作開始スイッチを備えている。（例えば、特許文献３参照）
ところで、手足の爪にジェルを施すいわゆる施術作業についてみてみると、被施術者自らが行う場合もあるものの、大部分はネイルサロン等の店舗にてプロフェッショナルの施術者いわゆるネイリストによって実施されている。
【０００６】
施術者（ネイリスト）と被施術者とは適宜の作業台を挟んで対面に位置し、被施術者の例えば手の爪に対して作業台を用いて施術者がジェルを施す作業を実施し、その後樹脂硬化装置を作動させて上記施したジェルを硬化させることになる。
【０００７】
この時、上記爪に対する施術は片手毎に行われ、他方の手については、先の樹脂硬化装置による硬化作業中に実施することが一般的であり、例えば硬化装置が適宜の作業台近辺にない場合、施術者、被施術者共に硬化装置設置位置まで移動する必要が生じ、さらにはその移動場所にも他方の手の施術用のジェルを準備しておく必要もあり、通常は、先の樹脂硬化装置の天面領域を作業台として兼用していた。
【０００８】
樹脂硬化装置の天面領域を作業台として兼用することは、施術者、被施術者ともに施術時の移動という負担を軽減することができ、さらに施術に使用するジェルも特定箇所に整理・配置できることになりその物理面での利便性は大きい。
【０００９】
一方、上記の施術作業時、ジェルを施した施術者及びジェルが施された被施術者に、樹脂硬化装置の動作状態やどれくらいの時間経過で照射動作が終了するのか等を報知する機能も、施術作業の効率改善や待ち時間の負担を感覚的に軽減する、等を意図して求められていることも周知であり、例えば電源のオン、オフの状況やＵＶランプ等の光源の残動作時間（残照射時間）等を表示する表示部を備えた樹脂硬化装置も種々実用化されている。
【先行技術文献】
【特許文献】
【００１０】
【特許文献１】実用新案登録第３１５１６９８号公報
【特許文献２】特開２０１１−  ９８０７３号公報
【特許文献３】実用新案登録第３１８３４９９号公報
【発明の概要】
【発明が解決しようとする課題】
【００１１】
ところで先の表示部の配置位置について見てみると、外観デザイン面並びに操作性を考慮して先の動作開始スイッチ近傍に集約され、具体的には樹脂硬化装置の天面領域であって、ジェル施術時の施術者と被施術者の対面方向の端部中央近傍に配置されていた。
【００１２】
このため、樹脂硬化装置の天面領域を作業台として兼用する場合、ともすれば施術作業中の手および腕が先の表示部に重なって位置することが考えられ、かかる場合、結果として表示部の表示を確認しにくくなる場合があった。
【００１３】
本発明は、かかる事情に鑑み、天面領域を作業台として兼用する場合においても表示部の表示を確認しやすい樹脂硬化装置を提供することを目的とする。
【課題を解決するための手段】
【００１４】
本発明の樹脂硬化装置は、爪への光硬化樹脂の施術作業時に作業台として兼用される天面領域を備えると共に、動作することにより前記光硬化樹脂を硬化させる硬化光を出力する樹脂硬化装置であって、電源のオン、オフの状況やＵＶランプ等の光源の残動作時間等を表示する表示部を備え、前記表示部を、施術時の施術者と被施術者の対面方向における前記天面領域の端部領域の中央部近辺以外に配置する構成を有している。
【００１５】
かかる構成によれば、樹脂硬化装置の天面領域を作業台として兼用する光硬化樹脂の爪への施術作業時、表示部の表示が被施術者等の手や腕と重ならない施術作業状態を容易に形成でき、表示部の表示を確実に確認できることになる。
【００１６】
また、請求項２記載の発明において、表示部は、対面方向に直交する方向である左右方向の端部領域のどちらか一方に配置されている構成を備えることが好ましい。
【００１７】
かかる構成によれば、樹脂硬化装置の天面領域を作業台として兼用する光硬化樹脂の爪への施術作業時、表示部の表示が被施術者等の手や腕と重ならない施術作業状態を容易に形成でき、表示部の表示を確実に確認できるようになる。
【００１８】
また、請求項３記載の発明において、表示部は、左右方向の端部領域のどちらか一方の施術者側端部に配置されると共に表示部の表示は施術者側から見て正常表示状態を形成することが好ましい。
【００１９】
かかる構成によれば、樹脂硬化装置の天面領域を作業台として兼用する光硬化樹脂の爪への施術作業時、表示部の表示が被施術者等の手や腕と重ならない施術作業状態を容易に形成できると共に、施術者が表示部の表示をより確実に確認できることになる。
【発明の効果】
【００２０】
本発明の樹脂硬化装置によれば、表示部を、施術時の施術者と被施術者の対面方向における前記天面領域の端部中央部近辺以外に配置していることから、表示部の表示が被施術者等の手や腕と重ならない施術状態を容易に形成することができ、よって表示部の表示を確実に確認できることになる効果を有する。
【００２１】
さらに、表示部の表示を確実に確認できることから、施術者は次の施術作業の準備対応等を効率的に行うことができ、すなわち施術作業の効率改善を実現できると共に被施術者の待ち時間の負担を感覚的に軽減できることになる効果を有する。
【図面の簡単な説明】
【００２２】
【図１】本発明の一実施形態に係る樹脂硬化装置の外観斜視図
【発明を実施するための形態】
【００２３】
本発明の一実施形態に係る樹脂硬化装置について、図１を参酌しつつ説明する。
【００２４】
同実施形態に係る樹脂硬化装置は、図１に示すように、略直方体形状を呈する本体１とジェルなどの光硬化樹脂が施術された手あるいは足の爪を本体１の内部に導入するための開口部２を備えている。
【００２５】
また、本体１の上部である天面領域３には、例えば電源のオン、オフの状況やＵＶランプ等の光源の残動作時間等を表示する表示部４が、光硬化樹脂の施術時の施術者と被施術者の対面方向Ｘに直交する方向である左右方向Ｙの端部領域７、８の内の一方端部領域７であり、かつ先の開口部２とは反対側の一方端部７ａに設けられている。すなわち、表示部４は、天面領域３の上記方向Ｘの端部領域５、６の中央部５ａ、６ａの近辺以外に設けられている。
【００２６】
さらに本実施形態においては、表示部４の表示は施術者側から見て正常表示状態を形成するように形成されている。
【００２７】
なお、本体１の内部には、図示はしないが、先の光硬化樹脂を硬化させるための光を発生する発光部、この発光部からの光を光硬化樹脂が施術された爪に導く導光光学系、発光部の動作を制御する動作制御部、この動作制御部を操作するための操作部を備えている。
【００２８】
図１に示した本発明の一実施形態にかかる樹脂硬化装置は、上述したような構成、すなわち表示部４を、施術時の施術者と被施術者の対面方向Ｘにおける天面領域３の端部領域５、６の中央部５ａ、６ａの近辺以外に配置している構成を備えることから、樹脂硬化装置の天面領域３を作業台として兼用する光硬化樹脂の爪への施術作業時、施術者の手や腕、被施術者の手や腕が表示部４の表示と重ならない施術作業状態を容易に形成できることになる。
【００２９】
このため、本実施形態においては、被施術者等の手や腕と重ならないことから表示部４の表示を確実に確認できることになり、さらに表示部４の配置位置である端部３ｃは施術者側であり、施術者にとってより確認しやすい状態が形成されており、このため、施術者は次の施術作業の準備対応等を効率的に行うことができ、このことは、施術者による施術作業の効率改善を実現、期待できることになる。
【００３０】
また、表示部４の表示状態を確実に確認できることから、表示対象を先にも述べた樹脂硬化装置による硬化動作の残時間とすることにより、ともすれば感じる可能性のある被施術者の硬化動作時の待ち時間に対しての負担を感覚的に軽減できることになる。
【００３１】
なお、本発明の樹脂硬化装置は、上記実施形態に限定されるものではなく、本発明の要旨を逸脱しない範囲において様々変更を行うことは勿論である。
【００３２】
例えば、図１に示した樹脂硬化装置においては一方端部７ａとしていた配置位置は、光硬化樹脂の施術時における施術者と被施術者の対面方向Ｘに沿った天面領域３の端部領域５、６の中央部５ａ、６ａの近辺以外であり、かつ上記方向Ｘに直交する方向である左右方向Ｙの端部領域７、８の他の端部７ｂ、８ａ、８ｂであっても良い。
【００３３】
さらに本実施形態においては、表示部４の表示は施術者側から見て正常表示状態を形成するように構成していたが、逆に被施術者側から見て正常表示状態を形成するように構成しても良い。
【産業上の利用可能性】
【００３４】
本発明に係る樹脂硬化装置は、爪への光硬化樹脂の施術作業時に作業台として兼用される天面領域を備えると共に、動作することにより上記光硬化樹脂を硬化させる硬化光を出力する樹脂硬化装置であって、電源のオン、オフの状況やＵＶランプ等の光源の残動作時間等を表示する表示部を備え、上記表示部を、施術時の施術者と被施術者の対面方向における上記天面領域の端部中央部近辺以外に配置する構成を備えることにより、樹脂硬化装置の天面領域を作業台として兼用する光硬化樹脂の爪への施術作業時、表示部の表示が被施術者等の手や腕と重ならない施術作業状態を容易に形成でき、表示部の表示を確実に確認できることが求められる場合に適用することができる。
【符号の説明】
【００３５】
１  本体
２  開口部
３  天面領域
４  表示部
５、６  端部領域
７、８  端部領域
【図１】
2015150027.tif 000003